(57)【要約】【課題】枠体に対して点火ボタンが必要以上に揺動するのを防止できる点火ボタンユニット、及びコンロを提供する。【解決手段】ロック部材９０は左右方向に移動可能に設けられる。ロック部材９０は右側ロック部９１を備える。右側ロック部９１は、側面視前方から後方に向かって高くなる階段状の規制部９５を備える。規制部９５は、前側に位置する垂直面である第一規制面９５１と、該第一規制面９５１よりも後方且つ上方に設けられた垂直面である第二規制面９５２とを備える。ロック部材９０が非ロック位置に位置する場合において、第二規制面９５２が点火ボタン１３の奥側への揺動を規制するので、点火ボタン１３の揺動範囲を規制できる。これにより、ガス供給装置の点火スイッチが点火ボタン１３によって過度に押し込まれるのを防止できる。【選択図】図１６
2020201036.tif 000002
【特許請求の範囲】
【請求項１】
コンロのフロントパネルに設けられた開口部に取り付けられる枠体と、前記枠体の開口部内に揺動可能に軸支され、バーナにガスを供給するガス供給装置の点火スイッチを後方に押し込む為の点火ボタンと、前記枠体における前記点火ボタンの下側に設けられ、非ロック位置とロック位置との間を左右方向にスライド可能にされたスライド部材とを備え、
前記点火ボタンの底面部には、該底面部の後端部から前方に延びる空隙部と、前記後端部に形成された当接部とが左右方向に並んで設けられ、
前記スライド部材には、規制部が設けられ、
前記スライド部材が前記ロック位置に位置した状態では、前記規制部は、前記点火ボタンの前記当接部の後ろ側に位置して前記点火ボタンの押し込み操作を規制し、
前記スライド部材が前記非ロック位置に位置した状態では、前記規制部は、前記点火ボタンの前記空隙部の後ろ側に位置して前記押し込み操作を許容するように構成された点火ボタンユニットにおいて、
前記規制部は、
前記スライド部材が前記ロック位置に位置する場合において、前記当接部に当接して前記押し込み操作を規制する第一規制部と、
前記第一規制部よりも後方且つ上方に設けられ、前記スライド部材が前記非ロック位置に位置する場合において、前記空隙部の最奥部に当接可能な第二規制部と
を備えたこと
を特徴とする点火ボタンユニット。
【請求項２】
請求項１に記載の点火ボタンユニットを備えたことを特徴とするコンロ。
【発明の詳細な説明】
【技術分野】
【０００１】
本発明は、点火ボタンユニット、及びコンロに関する。
【背景技術】
【０００２】
従来、バーナを点火、消火する為の点火ボタンのロック機構を備えたコンロが知られている（例えば、特許文献１参照）。この種のコンロは、フロントパネルに設けられた開口部に沿って所定の枠体が取り付けられ、その枠体の内側に点火ボタンが軸支されている。枠体における点火ボタンの下側には、非ロック位置とロック位置の間で左右方向にスライド可能にされたロック部材が設けられている。点火ボタンの底面部には、壁部或いは後方に延びる突出部等の当接部と、スリット等の空隙部とが横方向に並ぶようにして設けられている。ロック部材には、上方向に突出する突出部等の規制部が設けられている。
【０００３】
ロック部材が非ロック位置にある場合、ロック部材側の規制部の前側に点火ボタン側の空隙部が位置する。これにより、点火ボタンを押下する点火操作の過程において、規制部は空隙部内に受け入れられるので、点火操作が許容される。ロック部材がロック位置にある場合、ロック部材側の規制部の前側に点火ボタン側の当接部が位置する。これにより、点火ボタンを押し込もうとした際、点火ボタンの当接部が規制部に当接するので、点火操作が不能になる。よって、点火ボタンが子供等によって誤操作されるのを防止できる。
【先行技術文献】
【特許文献】
【０００４】
【特許文献１】特許第４０２８５２６号公報
【発明の概要】
【発明が解決しようとする課題】
【０００５】
上記ロック機構では、ロック部材が非ロック位置にある場合、点火操作の過程において、点火ボタンが後方に揺動し、ロック部材側の規制部が空隙部内に受け入れられることによって、点火ボタンが後方に押し込まれるようになっているが、点火ボタンの揺動範囲が規制されていないので、コンロ側に設けられるガス供給装置の点火スイッチが点火ボタンによって過度に押し込まれる可能性があった。
【０００６】
本発明の目的は、枠体に対して点火ボタンが必要以上に揺動するのを防止できる点火ボタンユニット、及びコンロを提供することである。
【課題を解決するための手段】
【０００７】
請求項１に係る発明の点火ボタンユニットは、コンロのフロントパネルに設けられた開口部に取り付けられる枠体と、前記枠体の開口部内に揺動可能に軸支され、バーナにガスを供給するガス供給装置の点火スイッチを後方に押し込む為の点火ボタンと、前記枠体における前記点火ボタンの下側に設けられ、非ロック位置とロック位置との間を左右方向にスライド可能にされたスライド部材とを備え、前記点火ボタンの底面部には、該底面部の後端部から前方に延びる空隙部と、前記後端部に形成された当接部とが左右方向に並んで設けられ、前記スライド部材には、規制部が設けられ、前記スライド部材が前記ロック位置に位置した状態では、前記規制部は、前記点火ボタンの前記当接部の後ろ側に位置して前記点火ボタンの押し込み操作を規制し、前記スライド部材が前記非ロック位置に位置した状態では、前記規制部は、前記点火ボタンの前記空隙部の後ろ側に位置して前記押し込み操作を許容するように構成された点火ボタンユニットにおいて、前記規制部は、前記スライド部材が前記ロック位置に位置する場合において、前記当接部に当接して前記押し込み操作を規制する第一規制部と、前記第一規制部よりも後方且つ上方に設けられ、前記スライド部材が前記非ロック位置に位置する場合において、前記空隙部の最奥部に当接可能な第二規制部と
を備えたことを特徴とする。
【０００８】
請求項２に係る発明のコンロは、請求項１に記載の点火ボタンユニットを備えたことを特徴とする。
【発明の効果】
【０００９】
請求項１に係る発明の点火ボタンユニットでは、スライド部材が非ロック位置に位置する場合において、第二規制部が点火ボタンの奥側への揺動を規制するので、点火ボタンの揺動範囲を規制できる。これにより、枠体に対して点火ボタンが必要以上に揺動するのを防止できるので、例えば、点火ボタンユニットのフロントパネルへの取り付け時や、点火ボタンユニットがフロントパネルから外れた状態において、点火ボタンが必要以上に揺動して、枠体における点火ボタンを軸支する部分から点火ボタンが抜け落ちたりするのを防止できる。また、第一規制部と第二規制部を備えた一つの規制部で、点火ボタンの揺動範囲を規制できるので、構造がシンプルである。さらに、点火ボタンの揺動範囲を規制できるので、コンロ側に設けられるガス供給装置の点火スイッチが点火ボタンによって過度に押し込まれるのを防止できる。
【００１０】
請求項２に係る発明のコンロでは、請求項１に記載の点火ボタンユニットを備えるので、請求項１に記載の効果を得ることができる。
【図面の簡単な説明】
【００１１】
【図１】コンロ１の斜視図である。
【図２】コンロ１の斜視図（天板とグリル扉を省略）である。
【図３】コンロ１の斜視図（フロントパネルとグリル扉を省略）である。
【図４】コンロ１の左側面図（フロントパネルとグリル扉を省略）である。
【図５】フロントパネル５０の右斜め前方から見た斜視図である。
【図６】フロントパネル５０の左斜め後方から見た斜視図である。
【図７】点火ボタンユニット７０Ｂの斜視図である。
【図８】枠体７１の右斜め前方から見た斜視図である。
【図９】枠体７１の左斜め後方から見た斜視図である。
【図１０】点火ボタン１３（１４）の右斜め前方から見た斜視図である。
【図１１】点火ボタン１３（１４）の左斜め後方から見た斜視図である。
【図１２】点火ボタンユニット７０Ａ，７０Ｂが取り付けられたフロントパネル５０の斜視図である。
【図１３】図１２に示すＩ−Ｉ線矢視方向断面図である。
【図１４】点火ボタンユニット７０Ｂの右斜め後方から見た斜視図（ロック部材９０：非ロック位置）である。
【図１５】点火ボタンユニット７０Ｂの正面図（点火ボタン１３の押し込み操作時）である。
【図１６】図１５に示すＩＩ−ＩＩ線矢視方向断面図である。
【図１７】点火ボタンユニット７０Ｂの右斜め後方から見た斜視図（ロック部材９０：ロック位置）である。
【図１８】点火ボタンユニット７０Ｂの正面図（ロック部材９０：ロック位置）である。
【図１９】図１８に示すＩＩＩ−ＩＩＩ線矢視方向断面図である。
【発明を実施するための形態】
【００１２】
以下、本発明の実施形態を説明する。以下に記載されている装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１３】
図１〜図４を参照し、コンロ１の外観構造を説明する。コンロ１は、図示しないキッチンのキャビネット上面に設けられた開口に上方から落とし込まれて設置されるビルトインタイプのコンロである。図１に示すように、コンロ１は、筐体２を備える。筐体２は、上面が開口する略直方体状に形成され、その開口する上部には、ホーロー素材の天板３がネジ止め固定されている。天板３の上面右手前にはバーナ開口３４、左手前にはバーナ開口３５、それらに挟まれる中央の奥側にはバーナ開口３６が設けられている。バーナ開口３４にはコンロバーナ５、バーナ開口３５にはコンロバーナ６、バーナ開口３６にはコンロバーナ７が、筐体２側から天板３上に突出させる形態で夫々配置されている。天板３の上面後端側には、排気口３７が設けられている。排気口３７は、複数のスリットで形成され、筐体２内に設置されたグリル庫３０（図２参照）の後部から上方に延びるグリル排気口３１の直上に配置されている。
【００１４】
筐体２の前面には、フロントパネル５０がネジ止め固定されている。フロントパネル５０の略中央には、グリル用の略矩形状の開口部５７が設けられている。開口部５７の後ろ側には、グリル庫３０のグリル開口３２（図２参照）が配置されている。開口部５７には、グリル扉１００が前後方向に引き出し可能に設けられている。グリル扉１００の前面には、前方に突出する取手１０１が設けられている。取手１０１を手前側に引き出すことで、開口部５７が開放され、グリル扉１００の背面下部に連結された受皿と焼網（図示略）を、グリル庫３０内から同時に取り出すことができる。
【００１５】
フロントパネル５０において、開口部５７の右隣には、略矩形状の開口部５８が設けられ、その開口部５８の内側に、点火ボタンユニット７０Ａが設けられている。点火ボタンユニット７０Ａの前面右上側には、点火ボタン１１が設けられ、前面左上側には、点火ボタン１２が設けられている。点火ボタン１１を押し込むと、右側のコンロバーナ５が点火され、再度押し込むと消火される。点火ボタン１２を押し込むと、グリル庫３０内に設けられたグリルバーナ（図示略）が点火され、再度押し込むと消火される。点火ボタン１１，１２の下側には、操作パネル１６が開閉可能に設けられている。
【００１６】
点火ボタンユニット７０Ａの上方には、レバー用開口部６１が設けられている。レバー用開口部６１の内側から、火力調節レバー４１２，４２２が筐体２側から前方に突出している。火力調節レバー４１２は、点火ボタン１１の上方に位置し、筐体２内に設けられたガス供給装置４１（図３参照）のブラケット（図示略）に軸支されている。ガス供給装置４１は、点火ボタン１１の後方に配置され、ブラケットを中心とする火力調節レバー４１２の左右方向の回動操作により、コンロバーナ５に供給するガス量を調節する。それ故、使用者は、火力調節レバー４１２の回動操作により、コンロバーナ５の火力調節ができる。火力調節レバー４２２は、点火ボタン１２の上方に位置し、筐体２内に設けられたガス供給装置４２（図３参照）のブラケット（図示略）に軸支されている。ガス供給装置４２は、点火ボタン１２の後方に配置され、ブラケットを中心とする火力調節レバー４２２の左右方向の回動操作により、グリルバーナに供給するガス量を調節する。それ故、使用者は、火力調節レバー４２２の回動操作により、グリルバーナの火力調節ができる。
【００１７】
点火ボタン１１の下部と操作パネル１６の上端部の間には、ロック操作部９７が設けられている。ロック操作部９７は、チャイルドロック機能の操作部であって、非ロック位置（点火許容位置）とロック位置の間を左右方向にスライドさせることで、点火ボタン１１，１２の押し込み操作を可能、又は不能にする。
【００１８】
一方、フロントパネル５０において、開口部５７の左隣には、略矩形状の開口部５９が設けられ、その開口部５９の内側に、点火ボタンユニット７０Ｂが設けられている。点火ボタンユニット７０Ｂの前面右側には、点火ボタン１３が設けられ、前面左側には、点火ボタン１４が設けられている。点火ボタン１３を押し込むと、左側のコンロバーナ６が点火され、再度押し込むと消火される。点火ボタン１４を押し込むと、奥側のコンロバーナ７が点火され、再度押し込むと消火される。点火ボタン１３，１４の下側には、電池ボックス１７が開閉可能に設けられている。
【００１９】
点火ボタンユニット７０Ｂの上方には、レバー用開口部６２が設けられている。レバー用開口部６２の内側から、火力調節レバー４３２，４４２が筐体２側から前方に突出している。火力調節レバー４３２は、点火ボタン１３の上方に位置し、筐体２内に設けられたガス供給装置４３（図３参照）のブラケット（図示略）に軸支されている。ガス供給装置４３は、点火ボタン１３の後方に設けられ、ブラケットを中心とする火力調節レバー４３２の左右方向の回動操作により、コンロバーナ７に供給するガス量を調節する。それ故、使用者は、火力調節レバー４３２の回動操作により、コンロバーナ７の火力調節ができる。火力調節レバー４４２は、点火ボタン１４の上方に位置し、筐体２内に設けられたガス供給装置４４（図３参照）のブラケット（図示略）に軸支されている。ガス供給装置４４は、点火ボタン１４の後方に設けられ、ブラケットを中心とする火力調節レバー４４２の左右方向の回動操作により、コンロバーナ６に供給するガス量を調節する。それ故、使用者は、火力調節レバー４４２の回動操作により、コンロバーナ６の火力調節ができる。
【００２０】
点火ボタン１３の下部と電池ボックス１７の上端部の間には、ロック操作部９８が設けられている。ロック操作部９８は、チャイルドロック機能の操作部であって、非ロック位置とロック位置との間を左右方向にスライドさせることにより、点火ボタン１３，１４の押し込み操作を可能、又は不能にする。点火ボタン１４の直上には、円形状の小孔６３が設けられ、その内側には、乾電池の電圧低下を報知する為のＬＥＤ１８が露出して設けられている。
【００２１】
図２〜図４を参照し、筐体２の構造を説明する。筐体２は、筐体本体部２０と上述のフロントパネル５０を備える。筐体本体部２０は、前面と上面が開口する略直方体状に形成され、板金で形成された右板部２１、左板部２２、底板部２３（図３，図４参照）、背板部２４（図４参照）を備える。右板部２１及び左板部２２は、前端部の上側を除く下側部分が前方に突出する側面視略Ｌ字状に形成されている。筐体本体部２０の上部には、上側筒状部２６が設けられている。上側筒状部２６は、上方に突出する略四角筒状に形成されている。上側筒状部２６の上方に突出して開口する開口端には、外方に張り出した鍔部２６１が形成されている。鍔部２６１がキャビネット上面の開口の周縁上面に係止することで、筐体２がキャビネット内に支持される。上側筒状部２６の上部の開口端には、天板３がネジ止め固定される。
【００２２】
図３に示すように、右板部２１及び左板部２２の夫々の前方に突出する部分の上端部の間には、平面視左右方向に長い略矩形状の上面壁２７１が水平に架設されている。上面壁２７１は、上側筒状部２６の前側に設けられた前壁部２６２の下端と同じ高さ位置において水平となるように固定されている。これにより、右板部２１及び左板部２２の間隔を一定に規定すると共に、グリル庫３０のグリル開口３２の上側を覆って熱気が漏出するのを防止するように機能している。
【００２３】
筐体本体部２０の底板部２３の前側部分と、右板部２１及び左板部２２の夫々の前方に突出する部分と、上面壁２７１とで構成された略四角筒状の部分は、前側筒状部２７を構成する。前側筒状部２７は、フロントパネル５０が装着される装着部として機能する。前側筒状部２７は、キャビネット前面に設けられた開口（図示略）にキャビネットの内側から前方に挿入される。前側筒状部２７の内側には、二枚の仕切壁２８，２９が横並びに垂直方向に立設されている。仕切壁２８，２９は、前側筒状部２７の内側において、グリル庫３０が設置される領域と、ガス供給装置４１，４２が配置される右側領域と、ガス供給装置４３，４４が配置される左側領域とを夫々仕切る。そのような前側が開口する前側筒状部２７に対して、フロントパネル５０が前方から覆うようにして取り付けられる（図２参照）。
【００２４】
右板部２１の外面における前端部近傍の下側部分には、差し込み部２１１が設けられている。差し込み部２１１は、前側が開口するポケット状に形成されている。差し込み部２１１の開口は、前方から見て上下方向に長い細孔である。差し込み部２１１には、フロントパネル５０に設けられた後述する右側の差し込み片６７（図５参照）が前方から差し込まれる。左板部２２の外面における前端部近傍の下側部分にも、差し込み部２１１と同様の差し込み部２２１（図３，図４参照）が設けられている。差し込み部２２１には、フロントパネル５０に設けられた後述する左側の差し込み片６８（図６参照）が前方から差し込まれる。
【００２５】
図３に示すように、上側筒状部２６の前側に位置する前壁部２６２は、正面視左右方向に長い略矩形状に形成され、前側筒状部２７の上面壁２７１の後端部において垂直上方に立設されている。前壁部２６２の右端側であって、下端よりも所定の高さ位置には、矩形状の開口部２６４が設けられている。開口部２６４の下端部には、後方に向けて略水平に突出する被固定片２６７が設けられている。被固定片２６７には、固定孔（図示略）が設けられている。前壁部２６２の左端側であって、開口部２６４と同一の高さ位置には、矩形状の開口部２６５が設けられている。開口部２６５の下端部には、後方に向けて略水平に突出する被固定片２６８が設けられている。被固定片２６８には、固定孔（図示略）が設けられている。
【００２６】
図５，図６を参照し、フロントパネル５０の構造を説明する。フロントパネル５０は、板金で形成され、前面部５１、上面部５２、下面部５３、右面部５４、左面部５５を備える。
【００２７】
前面部５１は、正面視逆Ｕ字状に形成され、右パネル部５１１、左パネル部５１２、上パネル部５１３を備える。右パネル部５１１は、前面部５１の右側に設けられ、正面視略矩形状に形成されている。左パネル部５１２は、前面部５１の左側に設けられ、正面視略矩形状に形成されている。上パネル部５１３は、右パネル部５１１の左端部の上部と、左パネル部５１２の右端部の上部との間に渡設され、正面視左右方向に長い細長略矩形状に形成されている。右パネル部５１１の左端部と、左パネル部５１２の右端部と、上パネル部５１３の下端部とに囲まれる領域には、上述の開口部５７が形成されている。
【００２８】
右パネル部５１１には、上述の開口部５８が設けられている。右パネル部５１１の背面側であって、開口部５８の周縁部には、後方に突出するリブ５８１（図６参照）が設けられている。それ故、開口部５８の周縁部の剛性が向上する。開口部５８の周縁部のうち上縁部及び下縁部には、後方に突出する左右一対の固定片６５が夫々設けられている。周縁部のうち左右の両縁部には、一つの固定片６５が夫々設けられている。各固定片６５には、固定孔６５Ａが設けられている。
【００２９】
右パネル部５１１において、開口部５８の上方には、上述のレバー用開口部６１が設けられている。レバー用開口部６１は、左右方向に延びるスリット状に形成されている。右パネル部５１１の背面側であって、レバー用開口部６１の周縁部には、後方に突出するリブ６１１（図６参照）が設けられている。それ故、レバー用開口部６１の周縁部の剛性が向上する。
【００３０】
右パネル部５１１の背面側において、右パネル部５１１の左端部には、後方に突出するリブ５１６が設けられている。リブ５１６は上下方向に延び、その下端部には、後方に突出するパネル側固定部５１７が設けられている。パネル側固定部５１７は、リブ５１６の下端部から後方に延び、且つ先端側が左方に略Ｌ字状に折り曲げられている。パネル側固定部５１７は、グリル庫３０のグリル開口３２（図２参照）の右下角部にネジ止め固定される。
【００３１】
左パネル部５１２には、上述の開口部５９が設けられている。左パネル部５１２の背面側であって、開口部５９の周縁部には、後方に突出するリブ５９１（図６参照）が設けられている。それ故、開口部５９の周縁部の剛性が向上する。開口部５９の周縁部のうち上縁部には、後方に突出する左右一対の固定片６６が設けられている。周縁部のうち左右の両縁部には、一つの固定片６６が夫々設けられている。各固定片６６には、固定孔６６Ａが設けられている。
【００３２】
左パネル部５１２において、開口部５９の上方には、上述のレバー用開口部６２が設けられている。レバー用開口部６２は、左右方向に延びるスリット状に形成されている。左パネル部５１２の背面側であって、レバー用開口部６２の周縁部には、後方に突出するリブ６２１（図６参照）が設けられている。それ故、レバー用開口部６２の周縁部の剛性が向上する。開口部５９の左上角部近傍には、上述の小孔６３が設けられている。
【００３３】
左パネル部５１２の背面側において、左パネル部５１２の右端部には、後方に突出するリブ５２６が設けられている。リブ５２６は上下方向に延び、その下端部には、パネル側固定部５２７が設けられている。パネル側固定部５２７は、リブ５２６の下端部から後方に延び、且つ先端側が右方に略Ｌ字状に折り曲げられている。パネル側固定部５２７は、グリル庫３０のグリル開口３２（図２参照）の左下角部にネジ止め固定される。
【００３４】
上面部５２は、前面部５１の上端部から後方に延び、平面視左右方向に長い略矩形状に形成されている。上面部５２の後端部には、上方に突出するリブ５２１が設けられている。リブ５２１の上端部における左右両側には、後方に突出する左右一対の固定片５２２，５２３が設けられている。固定片５２２，５２３には、上下方向に貫通する貫通孔５２２Ａ，５２３Ａが設けられている。
【００３５】
下面部５３は、右パネル部５１１の下端部と、左パネル部５１２の下端部とを左右方向に繋ぐように設けられ、平面視左右方向に長い略矩形状に形成されている。下面部５３の上面の左右両端側には、突出片５３１が夫々設けられている。各突出片５３１は上方に突出し、左右方向に面方向を有する側面視略三角形状に形成されている。
【００３６】
右面部５４は、右パネル部５１１の右端部から後方に延び、側面視上下方向に長い略矩形状に形成されている。右面部５４の後端部における下側位置には、後方に突出する差し込み片６７が設けられている。差し込み片６７は、下辺が後方に向かうにつれて斜め上方に傾斜する側面視略三角形状に形成されている。
【００３７】
左面部５５は、右面部５４と同様に、左パネル部５１２の左端部から後方に延び、側面視上下方向に長い略矩形状に形成されている。左面部５５の後端部における下側位置には、後方に突出する差し込み片６８が設けられている。差し込み片６８は、差し込み片６７と同形状であって、下辺が後方に向かうにつれて斜め上方に傾斜する側面視略三角形状に形成されている。
【００３８】
図２，図３を参照し、フロントパネル５０を、筐体２の前側筒状部２７へ取り付ける方法を説明する。作業者は、先ず、筐体２の前側筒状部２７の前面側に対して、フロントパネル５０の背面側を向ける。次いで、フロントパネル５０を、前側筒状部２７に向けて後方に押し込む。そして、フロントパネル５０の左右両側に設けられた差し込み片６７，６８を、筐体２の右板部２１及び左板部２２に設けられた差し込み部２１１，２２１に差し込む。これにより、フロントパネル５０の筐体２に対する左右方向の位置決めがなされる。さらに、差し込み片６７，６８の夫々の傾斜する下辺を、差し込み部２１１，２２１の内周部のうち下縁部に載置して摺動させる。フロントパネル５０が前側筒状部２７に押し込まれるにつれて、フロントパネル５０全体が徐々に上方に移動し、最終的に、フロントパネル５０の筐体２に対する上下方向の位置決めが自動的になされる。つまり、差し込み片６７，６８を、差し込み部２１１，２２１に差し込むだけで、フロントパネル５０の筐体２に対する左右方向の位置決めができ、そのまま押し込むだけで、フロントパネル５０の筐体２に対する上下方向の位置決めができる。これにより、フロントパネル５０の筐体２への取り付け作業性を向上できる。フロントパネル５０の右面部５４及び左面部５５は、前側筒状部２７の左右両面を外方から覆うように夫々配置される。
【００３９】
フロントパネル５０の上面部５２は、前側筒状部２７の上面壁２７１（図３参照）を上側から覆うように配置される。上面部５２の上端部に設けられた固定片５２２，５２３は、上側筒状部２６の前壁部２６２に設けられた開口部２６４，２６５に挿入され、被固定片２６７，２６８上に配置される。固定片５２２，５２３は、被固定片２６７，２６８に対してネジ止め固定される。
【００４０】
フロントパネル５０の下面部５３は、前側筒状部２７の下面側に配置される。そして、下面部５３に設けられた左右一対の突出片５３１は、前側筒状部２７における底板部２３の左右両側に設けられた一対の開口２３１（図３参照：左側の開口２３１のみ図示）に対して、下方から上方に挿入される。このとき、突出片５３１の前端部と後端部は、開口２３１の前縁部と後縁部に夫々当接する。これにより、フロントパネル５０の筐体２に対する前後方向の位置決めがなされる。このようにして、作業者は、フロントパネル５０を、筐体２の前側筒状部２７に対して簡単に取り付けることができる。
【００４１】
図７〜図１１を参照し、点火ボタンユニット７０Ａ，７０Ｂの構造を説明する。点火ボタンユニット７０Ａ，７０Ｂの基本構造は同一であるので、本実施形態では、左側の点火ボタンユニット７０Ｂの構造を中心に説明する。図７に示すように、点火ボタンユニット７０Ｂは、略直方体状の構造体であり、枠体７１と、該枠体７１に揺動可能に取り付けられる点火ボタン１３，１４とを備える。
【００４２】
図８，図９を参照し、枠体７１の構造を説明する。枠体７１は、正面視略矩形状の樹脂製の枠部材である。枠体７１は、右枠部７２、左枠部７３、上枠部７４、下枠部７５、前壁部７６等を備える。右枠部７２及び左枠部７３は、左右方向に互いに離間して垂直方向に立設されている。
【００４３】
右枠部７２は、左右方向に面方向を有する板部材であって、側面視上下方向に長い略矩形状に形成されている。右枠部７２の上下方向の略中段位置には、左右方向に貫通し、点火ボタン１３の右側の揺動軸１５１（図１０参照）を軸支する為の略円形状の軸支孔７２２が設けられている。軸支孔７２２と右枠部７２の後端部との間には、前後方向に延びるガイド孔７２３が設けられている。ガイド孔７２３は、点火ボタン１３の揺動軸１５１を、右枠部７２の後端側から軸支孔７２２に向けて案内する。ガイド孔７２３の右側方には、正面視略コの字状の覆い部７２４が設けられている。右枠部７２の外面の下部には、被係合部７２５が設けられている。被係合部７２５は、右枠部７２の外面から右側方に突出する突起部７２６と、該突起部７２６よりも前側に設けられ、右枠部７２の外面との間に隙間を形成する正面視略コの字状の枠部７２７とを備える。このような被係合部７２５に対して、フロントパネル５０の開口部５９の右縁部に設けられた固定片６６が係合する。
【００４４】
左枠部７３は、左右方向に面方向を有する板部材であって、側面視上下方向に長い略矩形状に形成されている。左枠部７３の上下方向の略中段位置にも、左右方向に貫通し、点火ボタン１４の左側の揺動軸１５２（図１１参照）を軸支する為の略円形状の軸支孔７３２が設けられている。軸支孔７３２と左枠部７３の後端部との間には、前後方向に延びるガイド孔７３３が設けられている。ガイド孔７３３は、点火ボタン１４の揺動軸１５２を、左枠部７３の後端側から軸支孔７３２に向けて案内する。ガイド孔７３３の左側方には、正面視略コの字状の覆い部７３４が設けられている。左枠部７３の外面の下部には、被係合部７３５が設けられている。図９に示すように、被係合部７３５は、左枠部７３の外面から左側方に突出する突起部７３６と、該突起部７３６よりも前側に設けられ、左枠部７３の外面との間に隙間を形成する側面視略コの字状の枠部７３７とを備える。このような被係合部７３５に対して、フロントパネル５０の開口部５９の左縁部に設けられた固定片６６が係合する。
【００４５】
上枠部７４は、右枠部７２の上端部と、左枠部７３の上端部との間に渡設され、平面視左右方向に延びる略矩形状に形成されている。上枠部７４の上面前端側には、筒状部７７が設けられている。筒状部７７は、左右方向に長く、前後方向に挿通する略筒状に形成されている。筒状部７７の内側には、左右方向に長いスリット状の開口７７１が設けられている。開口７７１は、左右方向の中央部において仕切り部７８によって仕切られている。仕切り部７８は、上枠部７４の上面略中央部に設けられている。開口７７１における仕切り部７８よりも右側には、火力調節レバー４３２（図３参照）が後方から挿入され、開口７７１における仕切り部７８よりも左側には、火力調節レバー４４２（図３参照）が後方から挿入される。
【００４６】
図８に示すように、筒状部７７の内周面７７２の前端側には、該内周面７７２よりも外側に拡径し、且つ内周面７７２と略平行な載置面７７３が形成されている。内周面７７２と載置面７７３の間には、段差面７７４が形成されている。なお、後述するが、載置面７７３には、フロントパネル５０のレバー用開口部６２の周縁部に設けられたリブ６２１が載置される。段差面７７４には、リブ６２１の端面が近接又は当接する。段差面７７４の高さは、リブ６２１の厚みと略同一である。
【００４７】
前壁部７６は、右枠部７２の前端部の上側部分と、左枠部７３の前端部の上側部分と、上枠部７４の前端部とに囲まれた領域を前側から覆うようにして設けられ、正面視左右方向に長い略矩形状に形成されている。前壁部７６の左下角部近傍には、前後方向に貫通する円形状の孔部７６１が設けられている。孔部７６１は、フロントパネル５０の左パネル部５１２に設けられた小孔６３に対応する位置に設けられ、ＬＥＤ１８が後方から挿入される。前壁部７６の下端部近傍であって、後述するＴ字枠部８０の右横方向部８０２に対応する位置には、正面視略矩形状の開口部７６２が設けられ、左横方向部８０３に対応する位置には、正面視略矩形状の開口部７６３が設けられている。
【００４８】
図９に示すように、前壁部７６の下側には、正面視略Ｔ字状に形成されたＴ字枠部８０が設けられている。Ｔ字枠部８０は、縦方向部８０１、右横方向部８０２、左横方向部８０３を備える。縦方向部８０１は、前壁部７６と下枠部７５の間に形成された開口の左右方向の中央部を上下方向に延設され、面方向を左右方向に向けた板状に形成されている。右横方向部８０２は、縦方向部８０１の上端部から右側方に略直角に屈曲して延設されると共に、前壁部７６の背面の下端部から後方に突出する板状に形成されている。左横方向部８０３は、縦方向部８０１の上端部から左側方に略直角に屈曲して延設されると共に、前壁部７６の背面の下端部から後方に突出する板状に形成されている。
【００４９】
縦方向部８０１の右側には、正面視略矩形状の右側開口部８１が形成され、縦方向部８０１の左側には、正面視略矩形状の左側開口部８２が形成されている。縦方向部８０１の上下方向の略中央部には、点火ボタン１３の左側の揺動軸１５２と、点火ボタン１４の右側の揺動軸１５１とを同軸上に軸支する為の略円形状の軸支孔８０５が設けられている。軸支孔８０５と縦方向部８０１の後端部との間には、前後方向に延びるガイド孔８０６が設けられている。ガイド孔８０６は、点火ボタン１３の揺動軸１５２、及び点火ボタン１４の揺動軸１５３を、縦方向部８０１の後端側から軸支孔８０５に向けて案内する。
【００５０】
右横方向部８０２の上面における左右方向の略中央部であって、前壁部７６の開口部７６２の内側には、被係合部８１１が設けられている。被係合部８１１は、右横方向部８０２の上面から上方に突出する突起部８１２と、該突起部８１２よりも前側に設けられ、右横方向部８０２の上面との間に隙間を形成する正面視略逆Ｕ字状の枠部８１３とを備える。このような被係合部８１１には、フロントパネル５０の開口部５９の上縁部の右側に設けられた固定片６６が前方から開口部７６２を介して係合する。
【００５１】
左横方向部８０３の上面における左右方向の略中央部であって、前壁部７６の開口部７６３の内側には、被係合部８１４が設けられている。被係合部８１４は、左横方向部８０３の上面から上方に突出する突起部８１５と、該突起部８１５よりも前側に設けられ、左横方向部８０３の上面との間に隙間を形成する正面視略逆Ｕ字状の枠部８１６とを備える。このような被係合部８１４には、フロントパネル５０の開口部５９の上縁部の左側に設けられた固定片６６が前方から開口部７６３を介して係合する。
【００５２】
下枠部７５は、右枠部７２の下部と、左枠部７３の下部との間に設けられ、右側面視略Ｌ字状に形成されている。下枠部７５は、横板部７５１と縦板部７５２を備える。横板部７５１は、右枠部７２の下端部と、左枠部７３の下端部との間に設けられ、平面視左右方向に長い略矩形状に形成されている。縦板部７５２は、横板部７５１の前端部に沿って垂直方向に立設され、正面視左右方向に長い略矩形状に形成されている。
【００５３】
横板部７５１の右側には、一組の第一スリット８４及び第二スリット８５が、前後方向に並んで設けられている。第一スリット８４は、横板部７５１の前端側に設けられ、左右方向に延びる細孔である。第二スリット８５は、第一スリット８４の後方に設けられ、左右方向に延びる細孔である。第二スリット８５の内周面のうち後ろ側の面には、前方に突出する突出部８５Ａが設けられている。横板部７５１の左側においても同様に、一組の第一スリット８６及び第二スリット８７が、前後方向に並んで設けられている。第二スリット８７の内周面のうち後ろ側の面には、前方に突出する突出部８７Ａが設けられている。
【００５４】
縦板部７５２の右端部近傍には、略矩形状の開口８８が設けられている。縦板部７５２の上端部８９は、下枠部７５の前側部分に形成され、略水平面である上端面８９１と、該上端面８９１の後端部から後方になるにつれて下り傾斜する傾斜面８９２とを備える。
【００５５】
さらに、図１４に示すように、下枠部７５の横板部７５１の上面には、ロック部材９０が左右方向に移動可能に設けられる。ロック部材９０は、平面視左右方向に長い略矩形箱状に形成され、右側ロック部９１と左側ロック部９２を備える。右側ロック部９１は、ロック部材９０の右側に設けられ、右側開口部８１に軸支される点火ボタン１３に対応する位置に配置される。左側ロック部９２は、ロック部材９０の左側に設けられ、左側開口部８２に軸支される点火ボタン１４に対応する位置に配置される。
【００５６】
右側ロック部９１の下面には、一組の被ガイド片９３（図１１では、後方の被ガイド片９３のみ図示）が前後方向に並び、且つ下方に突出して設けられている。一組の被ガイド片９３は、下枠部７５の横板部７５１に設けられた第一スリット８４及び第二スリット８５に対して上方から下方に向けて差し込まれる。一組の被ガイド片９３は、第一スリット８４及び第二スリット８５に沿って左右方向に移動可能である。後方の被ガイド片９３は、第二スリット８５の内側において左右方向に移動する際、その中央部において突出部８５Ａ（図９参照）と摺動する。それ故、被ガイド片９３が左右方向に移動する際、その中央部において一定の圧力がかけられる。さらに、右側ロック部９１の上面右側で且つ後端側には、側面視前方から後方に向かって高くなる階段状の規制部９５が立設されている。規制部９５は、前側に位置する垂直面である第一規制面９５１と、該第一規制面９５１よりも後方且つ上方に設けられた垂直面である第二規制面９５２とを備える。
【００５７】
左側ロック部９２の下面にも、一組の被ガイド片９４（図１１では、後方の被ガイド片９４のみ図示）が前後方向に並び、且つ下方に突出して設けられている。一組の被ガイド片９４は、下枠部７５の横板部７５１に設けられた第一スリット８６及び第二スリット８７に対して上方から下方に向けて差し込まれる。一組の被ガイド片９４は、第一スリット８６及び第二スリット８７に沿って左右方向に移動可能である。後方の被ガイド片９４は、第二スリット８７の内側において左右方向に移動する際、その中央部において突出部８７Ａと摺動する。それ故、被ガイド片９４が左右方向に移動する際、被ガイド片９３と同様に、その中央部において一定の圧力がかけられる。さらに、左側ロック部９２の上面右側で且つ後端側には、側面視前方から後方に向かって高くなる階段状の規制部９６が立設されている。規制部９６は、前側に位置する垂直面である第一規制面９６１と、該第一規制面９６１よりも後方且つ上方に設けられた垂直面である第二規制面９６２を備える。
【００５８】
ロック部材９０の右側ロック部９１の前端面には、前方に突出するロック操作部９８（図１５参照）が設けられている。ロック操作部９８は断面略矩形状の棒部材である。ロック操作部９８は、枠体７１の前壁部７６に設けられた開口８８を介して前方に突出している。これにより、使用者は、ロック操作部９８を左右方向に移動させることによって、ロック部材９０を左右方向にスライド移動させることができる。
【００５９】
図１０，図１１を参照し、点火ボタン１３，１４の構造を説明する。本実施形態の点火ボタン１３と１４の構造は同一であるので、点火ボタン１３の構造のみを説明する。また、本実施形態では、点火操作前の点火ボタン１３の姿勢を基本姿勢（図１０参照）とし、その基本姿勢における方向で構造を説明する。点火ボタン１３は、例えば樹脂による一体成型品である。点火ボタン１３は正面視略矩形状で、且つ背面側が開口する略箱状に形成されている。点火ボタン１３は、前壁部１３１、右壁部１３２、左壁部１３３（図１１参照）、上壁部１３５、底壁部１３６を備える。
【００６０】
図１０に示すように、前壁部１３１の前面部は、上から順に、上側垂直部１４１、指掛け部１４２、下側垂直部１４３を備える。上側垂直部１４１は、前壁部１３１の上部から略垂直方向に延びる。指掛け部４５２は、使用者が指を掛けて後方に押し込む部分であり、上側垂直部１４１の下端から前方に張り出し、側面視山なり状に形成されている。下側垂直部１４３は、指掛け部１４２の下端から略垂直下方に延びる。
【００６１】
上壁部１３５は、点火ボタン１３の上部に設けられ、平面視左右方向に長い略矩形状に形成されている。上壁部１３５は、上側垂直部１４１の上端と接続する。上壁部１３５の上面には、点火標識部１３５Ａが設けられている。点火標識部１３５Ａは、上壁部１３５よりも小さい平面視左右方向に長い略矩形状で且つ凹状に窪んで形成され、その内側の底面には、例えば点火標識シール（図示略）が貼付される。点火標識シールは、対応するバーナが点火されていることを使用者に知らせる為のシールである。
【００６２】
右壁部１３２は、前壁部１３１の右端部から後方に延びる。右壁部１３２の外面において、指掛け部１４２よりも上方で、且つ上側垂直部１４１よりも後方であって、さらに上壁部１３５よりも下方の位置には、右側方に突出する揺動軸１５１が設けられている。一方、図１１に示すように、左壁部１３３は、前壁部１３１の左端部から後方に延びる。左壁部１３３の外面において、指掛け部１４２よりも上方で、且つ上側垂直部１４１よりも後方であって、さらに上壁部１３５よりも下方の位置には、左側方に突出する揺動軸１５２が設けられている。揺動軸１５１，１５２は、互いに同一軸線上に位置する。揺動軸１５１，１５２は断面上下方向に長い略矩形状に形成されている。
【００６３】
図１１に示すように、底壁部１３６は、下側垂直部１４３の下端部から後方に向けて略水平に延び、且つ右壁部１３２の下端部と、左壁部４７の下端部との間に設けられている。底壁部１３６の下面における左右両端部には、下方に突出する係止爪１５９（図１０参照）が夫々設けられている。底壁部１３６の左右方向略中央部には、平面視略矩形状に開口する切欠き状の空隙部１４５が設けられている。空隙部１４５の左右方向の幅は、ロック部材９０に設けられた規制部９５，９６の左右方向の幅よりも大きい。その空隙部１４５の右側に隣接する位置には、底壁部１３６の後端部から後方に突出する当接部１４６が設けられている。当接部１４６は、長手方向に直交する断面が略Ｕ字状に形成されている。当接部１４６の左右方向の幅は、ロック部材９０に設けられた規制部９５，９６の左右方向の幅よりも大きい。
【００６４】
点火ボタン１３の背面側には、前壁部１３１、右壁部１３２、左壁部１３３、上壁部１３５、及び底壁部１３６によって周囲を覆われた空洞が形成されている。その空洞を上下に仕切るようにして、平板状の壁部１３７が設けられている。壁部１３７は、前壁部１３１の背面から後方に向けて略水平に延びる。壁部１３７の下面には、当接部１５４が設けられている。当接部１５４は、前壁部１３１の背面から後方に突出する同一形状の複数枚（本実施形態では４枚）のリブ１５４Ａが左右方向に並ぶことによって構成されている。当接部１５４は、筐体２内に設けられたガス供給装置４３の点火スイッチ４３１（図３参照）の先端部に当接し、点火ボタン１３の押し込み力を点火スイッチ４３１（図３参照）に伝達させる。
【００６５】
当接部１５４の後方に突出する後端部は、角度が互いに異なる側面視略Ｌ字状に形成され、第一当接部１５５と第二当接部１５６（図１１参照）を備える。第一当接部１５５と第二当接部１５６は、夫々複数のリブ１５４Ａの各端面で平坦部を形成する。第一当接部１５５は、当接部１５４の後端部の上側に形成され、鉛直方向に平行な平坦部を形成する。第二当接部１５６は、第一当接部１５５よりも下方前方に位置し、第一当接部１５５の下端部から前側に対して斜め下方に傾斜する平坦部を形成する。第一当接部１５５は、点火ボタン１３の非操作状態（点火操作前）において、点火スイッチ４３１と正対して当接する部位である。第二当接部１５６は、点火操作により、点火ボタン１３が揺動軸１５１，１５２周りに後方に揺動され、点火スイッチ４３１の押し込みを完了させる際に、点火スイッチ４３１と正対して当接する部位である。上記の通り、第一当接部１５５及び第二当接部１５６は、複数のリブ１５４Ａの各端面によって形成された平坦部であるので、点火ボタン１３の押し込み力を、点火スイッチ４３１に対して作用させ易くすることができる。
【００６６】
図７〜図１１を参照し、点火ボタン１３，１４の枠体７１への取り付け方法を説明する。先ず、枠体７１の右側開口部８１（図９参照）に対して、後方から点火ボタン１３（図１０参照）を嵌め込む。このとき、点火ボタン１３を、前壁部１３１が下側、上壁部１３５が前側となるように、基本姿勢から略水平方向に９０°倒す。次いで、揺動軸１５１を、右枠部７２のガイド孔７２３に差し込んで前方にスライドさせる。一方、揺動軸１５２を、左枠部７３のガイド孔７３３に差し込んで前方にスライドさせる。そして、揺動軸１５１，１５２を軸支孔７２２，７３２まで押し込んでから、揺動軸１５１，１５２を中心に点火ボタン１３を回転させ、基本姿勢に戻す。基本姿勢では、点火ボタン１３の底壁部１３６に設けられた一対の係止爪１５９は、枠体７０の下枠部７５における縦板部７５２の上端部に対して後方から係止する（図１９参照）。それ故、点火ボタン１３は、下枠部７５の縦板部７５２よりも前方に揺動しない。点火ボタン１３は、基本姿勢に保持される（図７参照）。
【００６７】
ここで、基本姿勢の点火ボタン１３において、揺動軸１５１，１５２の径における上下方向の長さは、ガイド孔７２３，７３３の上下幅よりも大きい。それ故、揺動軸１５１，１５２は、ガイド孔７２３，７３３を介して後方に抜けない。点火ボタン１４においても、点火ボタン１３と同様に、枠体７１の左側開口部８２に対して、後方から嵌め込んで取り付ける。このようにして、枠体７１に対して点火ボタン１３，１４が取り付けられ、点火ボタンユニット７０Ｂが完成する（図７，図１４参照）。
【００６８】
次に、点火ボタンユニット７０Ｂのフロントパネル５０への取り付け方法を説明する。図６に示すように、先ず、フロントパネル５０の背面側において、左側の開口部５９に対して、図７に示す点火ボタンユニット７０Ｂを後方から嵌め込む。このとき、開口部５９の周縁部のうち上縁部に設けられた左右一対の固定片６６を、枠体７１の前壁部７６の開口部７６２，７６３に差し込み、被係合部８１１，８１４（図９参照）に係合させる。このとき、被係合部８１１では、枠部８１３に固定片６６が差し込まれ、固定孔６６Ａに突起部８１２が下方から係合する。被係合部８１４では、枠部８１６に固定片６６が差し込まれ、固定孔６６Ａに突起部８１５が下方から係合する。
【００６９】
また、開口部５９の周縁部のうち右縁部に設けられた固定片６６を、枠体７１の右枠部７２に設けられた被係合部７２５に係合させる。このとき、被係合部７２５では、枠部７２７に固定片６６が差し込まれ、固定孔６６Ａに突起部７２６が下方から係合する。また、開口部５９の周縁部のうち左縁部に設けられた固定片６６を、枠体７１の左枠部７３に設けられた被係合部７３５に係合させる。このとき、被係合部７３５では、枠部７３７に固定片６６が差し込まれ、固定孔６６Ａに突起部７３６が下方から係合する。このようにして、点火ボタンユニット７０Ｂが、フロントパネル５０の開口部５９に取り付けられる。
【００７０】
ここで、図１３に示すように、枠体７１における筒状部７７の開口７７１の前側には、フロントパネル５０のレバー用開口部６２が配置される。そして、レバー用開口部６２の内周縁部から後方に向けて突出するリブ６２１は、開口７７１の内周面７７２の前側に設けられた載置面７７３上に載置され、リブ６２１の後方に突出する端面は、段差面７７４に近接又は当接して配置される。これにより、リブ６２１の端面は、段差面７７４によって隠れるので、リブ６２１と内周面７７２を面一にすることができる。
【００７１】
上記の通り、レバー用開口部６２及び開口７７１には、後方から火力調節レバー４３２，４４２が挿入され、前方に突出する（図１参照）。火力調節レバー４３２，４４２の夫々の先端側には、滑り止め用の樹脂製のカバー（図示略）が装着される。レバー用開口部６２の内側において、火力調節レバー４３２，４４２の周囲には、金属製のリブ６２１の端面が位置する。上記の通り、リブ６２１の端面は段差面７７４で隠れるので、内周面７７２から内側に突出しない。これにより、例えばコンロ１の運搬時に、振動又は外部衝撃によって、火力調節レバー４３２，４４２が、リブ６２１及び内周面７７２に対して仮に接触した場合に、リブ６２１の端面によって、火力調節レバー４３２，４４２に装着されたカバー等が傷ついたり、損傷したりするのを効果的に防止できる。
【００７２】
図１３〜図１５を参照し、点火ボタンユニット７０Ｂにおける点火ボタン１３の揺動動作と、チャイルドロック機構の仕組みを説明する。
［ロック操作部９８：非ロック位置］
点火ボタン１３を押し込み操作可能とする為、使用者は、ロック操作部９８を左側の非ロック位置に移動させる（図１５参照）。この場合、図１４に示すように、右側ロック部９１に設けられた規制部９５は、点火ボタン１３の空隙部１４５の後方に配置され、点火ボタン１３に設けられた当接部１４６に対して左方向に位置がずれる。これにより、点火ボタン１３は、揺動軸１５１，１５２を中心に揺動可能となる。使用者は、点火ボタン１３の指掛け部１４２に指を掛け、後方に押し込む。点火操作開始時、ガス供給装置４３の点火スイッチ４３１（図３参照）に対して、点火ボタン１３の背面側に設けられた当接部１５４の第一当接部１５５（図１１参照）が当接する。
【００７３】
点火ボタン１３が後方に揺動するに従い、当接部１５４と点火スイッチ４３１の当接位置は、第一当接部１５５から第二当接部１５６に移動する。規制部９５は空隙部１４５内に配置されるので、点火スイッチ４３１を奥まで押し切ることができる。点火スイッチ４３１が押し切られると、ガス供給装置４３からコンロバーナ７にガスが供給され、イグナイタによって点火される。ここで、図１６に示すように、点火ボタン１３を奥まで押し込んだ際、点火ボタン１３の前壁部１３１（下側垂直部１４３）の下端部は、規制部９５の第二規制面９５２に当接する。これにより、点火ボタン１３の奥側への揺動が規制されるので、枠体７１に対して点火ボタン１３が必要以上に揺動するのを防止できる。即ち、点火ボタン１３が必要以上に後方に揺動すると、点火ボタン１３の揺動軸１５１，１５２が、枠体７１の軸支孔７２２とガイド孔７２３、及び軸支孔７３２とガイド孔７３３から抜け落ちる可能性がある。これに対し、本実施形態では、点火ボタン１３の揺動範囲が規制されているので、例えば、点火ボタンユニット７０Ｂのフロントパネル５０への取り付け時や、点火ボタンユニット７０Ｂがフロントパネル５０から外れた状態において、点火ボタン１３が必要以上に揺動しないので（図１５，図１６参照）、枠体７１から点火ボタン１３が抜け落ちるのを効果的に防止できる。また、点火ボタン１３はこれよりも後方に揺動しないので、点火ボタン１３の過剰な押し込みによって、点火スイッチ４３１が損傷するのを防止できる。なお、コンロバーナ７を消火するには、点火ボタン１３を再押下すればよい。また、詳述しないが、左側ロック部９２に設けられた規制部９６においても、右側ロック部９１と同様の仕組みで、点火ボタン１４の押し込み操作を可能とする。
【００７４】
［ロック操作部９８：ロック位置］
点火ボタン１３を押し込み操作不能とする為、使用者は、ロック操作部９８を非ロック位置から右側のロック位置に移動させる（図１８参照）。この場合、図１７に示すように、右側ロック部９１に設けられた規制部９５は、点火ボタン１３の当接部１４６の後方に配置される。この状態で、使用者が点火ボタン１３を後方に押し込んだ場合、点火ボタン１３の当接部１４６は、規制部９５の第一規制面９５１に当接する（図１９参照）。これにより、点火ボタン１３の押し込み操作は不能となる。なお、詳述しないが、左側ロック部９２に設けられた規制部９６においても、右側ロック部９１と同様の仕組みで、点火ボタン１４の押し込み操作が不能となる。
【００７５】
このように、ロック部材９０が非ロック位置に位置する場合において、第二規制面９５２が点火ボタン１３の奥側への揺動を規制するので、点火ボタン１３の揺動範囲を規制できる。これにより、ガス供給装置４３の点火スイッチ４３１が点火ボタン１３によって過度に押し込まれるのを防止できる。また、第一規制面９５１と第二規制面９５２を備えた一つの規制部９５と、第一規制面９６１と第二規制面９６２を備えた一つの規制部９６というコンパクトな構成で、点火ボタン１３，１４の揺動範囲を夫々規制できるので、チャイルドロック機能を有する点火ボタンユニット７０Ｂの構造をコンパクトにできる。
【００７６】
図１８，図１９を参照し、点火ボタンユニット７０Ｂにおける点火ボタン１３と枠体７１の位置関係と、その位置関係によって生まれる作用効果を説明する。点火ボタン１３が押し込まれていない非操作状態では、枠体７１の右側開口部８１及び左側開口部８２の下側に位置する下枠部７５の上端部８９の上端面８９１と、点火ボタン１３の前壁部１３１（下側垂直部１４３）の下縁部１５８とは、互いに上下方向に近接して配置される（図１８参照）。ここで、点火ボタン１３の揺動軸１５１，１５２は、点火ボタン１３の前壁部１３１よりも奥側に位置する。それ故、点火ボタン１３の下縁部１５８は、点火操作の際に下側に潜り込むようにして円弧状の軌跡を描く（図１６参照）。
【００７７】
本実施形態では、下枠部７５の縦板部７５２の上端部８９において、上端面８９１の後方に離接して傾斜面８９２が形成されている。傾斜面８９２は、点火ボタン１３の下縁部１５８の円弧状の軌跡に近接する位置に配置されている。傾斜面８９２は、円弧状の軌跡に沿うようにして、前端位置から後方になるにつれて下り傾斜している。これにより、点火ボタン１３の下縁部１５８と下枠部７５が互いに干渉するのを防止できる。従って、本実施形態のように、枠体７１の下枠部７５の上端部８９の上端面８９１と、点火ボタン１３の下縁部１５８とをギリギリまで近接させても、上端面８９１と下縁部１５８を干渉させることなく、点火ボタン１３の押し込み操作を可能にできる。また、上端面８９１と下縁部１５８をギリギリまで近接できるので、枠体７１の右側開口部８１において生じる隙間を介して、点火ボタン１３の底壁部１３６が外部に露出するのを防止できるので、美観が損なわれるのを防止できる（図１５参照）。
【００７８】
以上説明において、ロック部材９０が本発明の「スライド部材」の一例である。下枠部７５を構成する縦板部７５２の上端面８７１が本発明の「下枠部の前端側上縁部」の一例である。点火ボタン１３の底壁部１３６の前壁部１３１の下縁部１５８が本発明の「点火ボタンの前端側下縁部」の一例である。ロック部材９０に設けられた規制部９５の第一規制面９５１が本発明の「第一規制部」の一例であり、第二規制面９５２が本発明の「第二規制部」の一例である。
【００７９】
以上説明したように、本実施形態のコンロ１は、フロントパネル５０に点火ボタンユニット７０Ｂを備える。点火ボタンユニット７０Ｂは、枠体７１、点火ボタン１３，１４、ロック部材９０を備える。枠体７１は、コンロ１のフロントパネル５０に設けられた開口部５７に取り付けられる。点火ボタン１３は、枠体７１の右側開口部８１内に配置され、且つ枠体７１に揺動可能に軸支される。ロック部材９０は、枠体７１における点火ボタン１３，１４の下側に設けられ、非ロック位置とロック位置との間を左右方向にスライド可能にされる。点火ボタン１３の底壁部１３６には、空隙部１４５と当接部１４６が左右方向に並んで設けられている。空隙部１４５は、底壁部１３６の後端部から前方に延びる。当接部１４６は、底壁部１３６の後端部に形成されている。ロック部材９０には、規制部９５が設けられている。ロック部材９０がロック位置に位置した状態では、規制部９５は、点火ボタン１３の当接部１４６の後ろ側に位置して点火ボタン１３の押し込み操作を規制する。ロック部材９０が非ロック位置に位置した状態では、規制部９５は、点火ボタン１３の空隙部１４５の後ろ側に位置して押し込み操作を許容する。
【００８０】
このように構成された点火ボタンユニット７０Ｂにおいて、点火ボタン１３が非操作状態にある場合において、枠体７１の右側開口部８１の下側に位置する下枠部７５の上端面８９１と、点火ボタン１３の下縁部１５８とは、互いに上下方向に近接して配置されている。そして、下枠部７５の前側部には、上端面８９１の後端から後方になるにつれて下り傾斜する傾斜面８９２が形成されている。これにより、枠体７１の下枠部７５の上端面８９１と、点火ボタン１３の下縁部１５８とをギリギリまで近接させたとしても、点火ボタン１３の底壁部１３６と下枠部７５を干渉させることなく、点火ボタン１３の押し込み操作が可能である。その結果、点火ボタン１３の底壁部１３６が枠体７１との隙間を介して外部に露出するのを防止できるので、美観が損なわれるのを防止できる。
【００８１】
なお、本発明は上記実施形態に限定されるものではなく、種々の変更が可能である。本実施形態のコンロ１はビルトインコンロであるが、テーブルコンロでもよい。また、コンロ１はグリル庫３０を筐体２内に備えているが、グリル無しのコンロでもよい。さらに、天板３上に設けられるコンロバーナの数は３個に限らず、自由に変更可能である。
【００８２】
本実施形態の点火ボタンユニット７０Ｂは、二つの点火ボタン１３，１４を備えるが、点火ボタンの個数は自由に変更可能であり、例えば一個でもよい。
【００８３】
上記実施形態では、点火ボタン１３に揺動軸１５１，１５２を設け、それらを枠体７１の軸支孔７２２，８０５に軸支させているが、例えば、枠体７１側に揺動軸を設け、その揺動軸に対して、点火ボタン１３，１４を軸支させてもよい。
【００８４】
上記実施形態のロック部材９０の規制部９５に設けられた第一規制面９５１及び第二規制面９５２は何れも平面で形成しているが、点火ボタン１３に対して当接できる形状であればよい。例えば凹凸形状があってもよく、複数のリブの端面で規制面を構成してもよい。
【００８５】
１          コンロ
５〜７      コンロバーナ
１３，１４    点火ボタン
４３          ガス供給装置
５０          フロントパネル
７０Ｂ        点火ボタンユニット
７１          枠体
７５          下枠部
８１          右側開口部
８９          上端部
９０          ロック部材
９５          規制部
１４５          空隙部
１４６          当接部
４３１          点火スイッチ
８９１          上端面
８９２          傾斜面
９５１          第一規制面
９５２          第二規制面
【図１】
2020201036.tif 000003
【図２】
2020201036.tif 000004
【図３】
2020201036.tif 000005
【図４】
2020201036.tif 000006
【図５】
2020201036.tif 000007
【図６】
2020201036.tif 000008
【図７】
2020201036.tif 000009
【図８】
2020201036.tif 000010
【図９】
2020201036.tif 000011
【図１０】
2020201036.tif 000012
【図１１】
2020201036.tif 000013
【図１２】
2020201036.tif 000014
【図１３】
2020201036.tif 000015
【図１４】
2020201036.tif 000016
【図１５】
2020201036.tif 000017
【図１６】
2020201036.tif 000018
【図１７】
2020201036.tif 000019
【図１８】
2020201036.tif 000020
【図１９】
2020201036.tif 000021